(57)【要約】【課題】負荷の動作状態を表示する表示用光源を備えたスイッチにおいて、施工後であっても手軽に表示用光源の明るさを調整可能とする。【解決手段】スイッチ１は、ユーザによって操作される操作ハンドル１１と、負荷の動作状態を表示するオン表示用ＬＥＤ４と、オン表示用ＬＥＤ４の明るさを調整する可変抵抗器６を備える。操作ハンドル１１は、スイッチ本体１０に対して着脱可能とされ、可変抵抗器６の操作部６ａは、スイッチ本体１０から操作ハンドル１１を外した状態で、スイッチ本体１０の前面から調整可能に設けられている。【選択図】図５
2014067647.tif 000002
【特許請求の範囲】
【請求項１】
ユーザによって操作される操作ハンドルと、
前記操作ハンドルの変位に応じて負荷への給電を制御する開閉部と、
負荷の動作状態を表示する表示用光源と、
前記表示用光源の明るさを調整する明るさ調整素子と、
前記開閉部、表示用光源及び明るさ調整素子を収容するスイッチ本体を備え、
前記操作ハンドルは、前記スイッチ本体に対して移動自在に装着されるスイッチにおいて、
前記操作ハンドルは、前記スイッチ本体に対して着脱可能に構成され、
前記明るさ調整素子は、前記スイッチ本体から前記操作ハンドルを外した状態で、前記スイッチ本体の前面から調整可能に設けられていることを特徴とするスイッチ。
【請求項２】
前記表示用光源及び明るさ調整素子が搭載され、前記スイッチ本体に収容されるマウント部材をさらに備えることを特徴とする請求項１に記載のスイッチ。
【請求項３】
前記明るさ調整素子の操作部は、前記スイッチ本体の前面に形成されている貫通穴に近接して配設されていることを特徴とする請求項１又は請求項２に記載のスイッチ。
【請求項４】
前記明るさ調整素子は、可変抵抗器であることを特徴とする請求項１乃至請求項３のいずれか一項に記載のスイッチ。
【請求項５】
前記表示用光源は複数種類設けられ、それぞれの表示用光源について個別に明るさ調整素子が設けられていることを特徴とする請求項１乃至請求項４のいずれか一項に記載のスイッチ。
【発明の詳細な説明】
【技術分野】
【０００１】
本発明は、照明装置の点灯／消灯の操作に用いて好適なスイッチに関する。
【背景技術】
【０００２】
従来から、負荷の動作状態を表示する表示用光源を備え、照明装置の点灯／消灯の操作に用いられるスイッチが知られている。例えば、特許文献１には、ピアノハンドル式スイッチにおいて、ＬＥＤ（発光ダイオード）を表示用光源として用いた技術が開示されている。
【０００３】
また、特許文献２には、シーソー式スイッチにおいて、ネオンランプ、ＬＥＤ等を表示用光源として用いた技術が開示されている。このスイッチにおいては、取付場所によって表示用光源の光量を調整可能とするために、可変抵抗器を備え、スイッチのケース側面に設けられた開孔から可変抵抗器を調整可能に構成されている。
【０００４】
上記特許文献１及び特許文献２に示されるように、この種のスイッチは、通常壁面などの造営面に取付枠を介して埋設されている。
【先行技術文献】
【特許文献】
【０００５】
【特許文献１】特開２００３−２７２４８１号公報
【特許文献２】特開昭５６−１５５１２号公報
【発明の概要】
【発明が解決しようとする課題】
【０００６】
近年、白熱灯や蛍光灯などに代えてＬＥＤ電球を光源に用いたＬＥＤ照明装置が提供されている。ＬＥＤ照明装置は、白熱灯などを光源とする照明装置に比べて、省電力化、長寿命化を図ることができるという利点がある。ところが光源を白熱灯などからＬＥＤ電球に交換すると、交換前後で負荷のインピーダンスが異なってくるため、スイッチに内蔵された表示用光源の明るさにも影響が及ぶことがある。また、照明装置の明るさが変わったり、周囲の環境が変化することに伴い、表示用光源の体感的な明るさが変動する。
【０００７】
特許文献１に示すスイッチにおいては、表示用光源の明るさを変更する機能が備わっていないため、照明装置の光源を交換する際に、表示用光源の明るさを調整することができない。また、特許文献２に示すスイッチにおいては、可変抵抗器を操作することにより、表示用光源の明るさを調整することは可能である。ところが、このスイッチは、スイッチ本体側面に設けられた開孔から可変抵抗器を操作する構成であることから、スイッチの施工後に表示用光源の明るさを調整する場合、一旦スイッチ本体を取付枠から取り外す必要がある。そのため、手軽に表示用光源の明るさを調整できないという問題があった。
【０００８】
本発明は、上記課題を解決するためになされたものであり、施工後であっても手軽に表示用光源の明るさを調整できるスイッチを提供することを目的とする。
【課題を解決するための手段】
【０００９】
上記目的を達成するために本発明のスイッチは、ユーザによって操作される操作ハンドルと、前記操作ハンドルの変位に応じて負荷への給電を制御する開閉部と、負荷の動作状態を表示する表示用光源と、前記表示用光源の明るさを調整する明るさ調整素子と、前記開閉部、表示用光源及び明るさ調整素子を収容するスイッチ本体を備え、前記操作ハンドルは、前記スイッチ本体に対して移動自在に装着されるスイッチにおいて、前記操作ハンドルは、前記スイッチ本体に対して着脱可能に構成され、前記明るさ調整素子は、前記スイッチ本体から前記操作ハンドルを外した状態で、前記スイッチ本体の前面から調整可能に設けられているものである。
【００１０】
この発明において、前記表示用光源及び明るさ調整素子が搭載され、前記スイッチ本体に収容されるマウント部材をさらに備えることが好ましい。
【００１１】
この発明において、前記明るさ調整素子の操作部は、前記スイッチ本体の前面に形成されている貫通穴に近接して配設されていることが好ましい。
【００１２】
この発明において、前記明るさ調整素子は、可変抵抗器であることが好ましい。
【００１３】
この発明において、前記表示用光源は複数種類設けられ、それぞれの表示用光源について個別に明るさ調整素子が設けられていることが好ましい。
【発明の効果】
【００１４】
本発明のスイッチによれば、スイッチ本体から操作ハンドルを外すことにより、スイッチ本体の前面から明るさ調整素子を操作して表示用光源の明るさを調整できる。従って、スイッチの施工後においても、スイッチ本体を取り外すことなく、手軽に表示用光源の明るさを調整できるようになり、使い勝手が高められる。
【図面の簡単な説明】
【００１５】
【図１】本発明の一実施形態によるスイッチを用いた照明システムの回路図。
【図２】同スイッチの構成を示す組立斜視図。
【図３】同スイッチの断面図。
【図４】同スイッチのスイッチ本体の構成を示す組立斜視図。
【図５】同スイッチ本体から操作ハンドルを取り外す要領を示す斜視図。
【図６】同スイッチ本体から操作ハンドルが取り外された状態を示す正面図。
【発明を実施するための形態】
【００１６】
本発明の一実施形態によるスイッチについて図面を参照して説明する。図１は同スイッチを用いた照明システムの回路構成を示す。スイッチ１は、白熱灯、蛍光灯又はＬＥＤ電球などの負荷Ｌと交流電源との間に直列接続され、負荷Ｌへの給電を制御する。スイッチ１は、開閉部２と、トランス３と、オン表示用ＬＥＤ（表示用光源）４と、ダイオード５と、可変抵抗器（明るさ調整素子）６と、オフ表示用ＬＥＤ（表示用光源）７と、抵抗８と、ダイオード９等を備える。
【００１７】
開閉部２は、負荷Ｌ、交流電源、トランス３の１次コイル３ａに直列接続される。トランス３は、開閉部２の閉成時に１次コイル３ａに入力された交流電流によって励磁して、２次コイル３ｂから交流電流を出力する。オン表示用ＬＥＤ４は、２次コイル３ｂから給電を受けて発光し、負荷Ｌが動作中である旨を表示する。オン表示用ＬＥＤ４としては、例えば、赤色又は橙色のＬＥＤが適用される。ダイオード５は、交流電流に対応するようオン表示用ＬＥＤ４とは逆向きに並列接続される。可変抵抗器６は、２次コイル３ｂとオン表示用ＬＥＤ４との間に直列接続され、オン表示用ＬＥＤ４に流れる電流を制限し、オン表示用ＬＥＤ４の明るさを調整する。オフ表示用ＬＥＤ（表示用光源）７は、開閉部２に並列に接続され、開閉部２が開成したとき発光し、負荷Ｌが非動作中である旨を表示する。オフ表示用ＬＥＤ７としては、例えば、緑色又は青色のＬＥＤが適用される。抵抗８は、オフ表示用ＬＥＤ７に直列接続され、オフ表示用ＬＥＤ７に流れる電流を制限する。ダイオード９は、交流電流に対応するようオフ表示用ＬＥＤ７とは逆向きに並列接続される。
【００１８】
図２はスイッチ１の概略構成を示す。スイッチ１は、ピアノハンドル式スイッチと称され、ピアノタッチ操作によって開閉されるスイッチである。スイッチ本体１０と、操作ハンドル１１と、取付枠１２と、化粧プレート１３等によって構成される。操作ハンドル１１は、絶縁性を有する樹脂材料によって形成され、スイッチ本体１０の前面に装着され、ユーザによって操作される。取付枠１２は、例えば、金属板をプレス加工することにより形成され、造営面１００（図３参照）に装着される。取付枠１２の内側にはスイッチ本体１０が取り付けられ、スイッチ本体１０は取付枠１２によって支持される。図２は、２つのスイッチ本体１０及び操作ハンドル１１が取付枠１２に取り付けられた形態を示しているが、スイッチ本体１０及び操作ハンドル１１の個数は１つであっても３つ以上であってもよい。化粧プレート１３は、樹脂材料などにより成形され、取付枠１２の前面に装着されてスイッチ１の前面、特に取付枠１２の周辺を装飾する。
【００１９】
図３はスイッチ１の断面を示す。スイッチ本体１０は、図１に示した開閉部２、トランス３、オン表示用ＬＥＤ４、ダイオード５、可変抵抗器６、オフ表示用ＬＥＤ７、抵抗８、ダイオード９等を有する。
【００２０】
また、スイッチ本体１０は、さらに端子板１４ａ，１４ｂ，１４ｃと、反転ハンドル１５と、押釦ハンドル１６と、マウント部材１７と、外周ボディ１８と、カバー１９等を有する。端子板１４ａは、一端が交流電源とスイッチ１を接続する電線１０１と、他端が開閉部２とそれぞれ接続される。電線１０１の先端部は、ばね部材（図示せず）によって付勢され、電線１０１と端子板１４ａとの接続状態が保持される。端子板１４ｂは、一端がトランス３の１次コイル３ａと他端がスイッチ１と負荷Ｌを接続する電線１０２とそれぞれ接続される。電線１０２の先端部も、ばね部材（図示せず）によって付勢され、電線１０２と端子板１４ｂとの接続状態が保持される。端子板１４ｃは、一端がトランス３の１次コイル３ａと他端が開閉部２とそれぞれ接続される。トランス３は、開閉部２の近傍（電線１０１と電線１０２との間）に設けられていてもよい。
【００２１】
反転ハンドル１５は、外周ボディ１８によって回動自在に軸支され、押釦ハンドル１６から入力された往復方向の駆動力を回転方向の駆動力に変換して、開閉部２に伝達する。押釦ハンドル１６は、カバー１９によって往復自在に支持され、操作ハンドル１１から入力された駆動力を反転ハンドル１５に伝達する。
【００２２】
マウント部材１７は、オン表示用ＬＥＤ４、ダイオード５、可変抵抗器６、オフ表示用ＬＥＤ７、抵抗８、ダイオード９等を搭載する。マウント部材１７は、例えば、絶縁性を有する樹脂材料によってブロック状に形成され、上記各部品を適宜接続する金属板（リード）をインサートして成形される。また、マウント部材１７は、上記各部品が実装されるプリント回路基板であってもよい。オン表示用ＬＥＤ４、可変抵抗器６、オフ表示用ＬＥＤ７は、スイッチ１の前面側に配設される。オン表示用ＬＥＤ４及びオフ表示用ＬＥＤ７から出力される光は、カバー１９に形成されている導光体１９ｃ及び操作ハンドル１１に形成されている導光体１１ａ（図２参照）を介してスイッチ１の外部から視認され、負荷Ｌの動作を確認できる。
【００２３】
外周ボディ１８は、絶縁性を有する樹脂材料によって形成され、開閉部２、トランス３、端子板１４ａ，１４ｂ，１４ｃ、反転ハンドル１５、マウント部材１７を収容し、スイッチ本体１０の外周を区画する。カバー１９は、絶縁性を有する樹脂材料によって形成され、外周ボディ１８の前面の開口に装着される。
【００２４】
図３においては、開閉部２の閉成状態は実線にて示され、開閉部２の開成状態は破線にて示される。開閉部２は、可動板２１と可動接点２２、固定接点２３等によって構成される。可動板２１は、外周ボディ１８に回動自在に収容され、端子板１４ａと電気的に接続される。可動接点２２は、可動板２１の先端側に形成される。固定接点２３は、端子板１４ｃにおいて、可動接点２２と対向して形成される。反転ハンドル１５の先端と可動板２１の先端とは係合され、反転ハンドル１５の回動に連動して可動板２１が回動し、開閉部２が開閉する。
【００２５】
ユーザによって操作ハンドル１１が押圧操作されるたびに、その駆動力が押釦ハンドル１６、反転ハンドル１５に順次伝達され、可動板２１が駆動されて開閉部２が開閉する。その一連動作は、特許文献１等に示されたスイッチと同様であるため、その説明は省略する。
【００２６】
図４は、スイッチ本体１０を示す。スイッチ本体１０の筐体は、外周ボディ１８と、カバー１９等によって構成される。外周ボディ１８の前面の開口部には、マウント部材１７等が組み込まれる。マウント部材１７は、外周ボディ１８の長手方向に反転ハンドル１５と並べて配設される（図３参照）。マウント部材１７の前面には、オン表示用ＬＥＤ４、可変抵抗器６の操作部６ａ、オフ表示用ＬＥＤ７が設けられる。
【００２７】
カバー１９は、支軸１９ａと貫通穴１９ｂと、導光体１９ｃを有する。支軸１９ａは、マウント部材１７の近傍でカバー１９の端縁に形成され、操作ハンドル１１の軸受け部１１ｂ（図２、３参照）と嵌合し、操作ハンドル１１を回動自在に支持する。貫通穴１９ｂは、可変抵抗器６の操作部６ａに対応する近接位置においてカバー１９の前壁面を貫通し、スイッチ本体１０の外側から可変抵抗器６の抵抗値の調整を可能とする。図１に示すように、可変抵抗器６は、オン表示用ＬＥＤ４に流れる電流を制限する。従って、可変抵抗器６の抵抗値を変更することにより、オン表示用ＬＥＤ４の明るさを調整できる。可変抵抗器６の抵抗値の変更は、ユーザ等の作業者が、貫通穴１９ｂからスクリュードライバー等の工具の先端を挿入し、操作部６ａの細溝に係合させてスクリュードライバーを回転させることによりなされる。本実施形態にあっては、可変抵抗器６の操作部６ａがスイッチ本体１０の内側に配設されているが、操作部６ａが貫通穴１９ｂを介してスイッチ本体１０の外側に突出する構成であってもよい。この場合、操作部６ａの外周に凸部を設ける等により、工具を用いることなく可変抵抗器６の抵抗値を調整できる。可変抵抗器６の先端に設けられている操作部６ａを回転させることにより、可変抵抗器６の抵抗値が変動し、オン表示用ＬＥＤ４に流れる電流が調整される。
【００２８】
導光体１９ｃは、オン表示用ＬＥＤ４及びオフ表示用ＬＥＤ７に対応する位置に設けられ、オン表示用ＬＥＤ４及びオフ表示用ＬＥＤ７から出力された光をスイッチ本体１０の外側に透過させる。導光体１９ｃを透過したオン表示用ＬＥＤ４及びオフ表示用ＬＥＤ７の出力光は、操作ハンドル１１に形成されている導光体１１ａを透過してスイッチ１の外部から視認される。なお、操作ハンドル１１の裏面に、必要に応じて導光体１９ｃを透過した光を導光体１１ａに導く導光体が設けられていてもよい。
【００２９】
図５はスイッチ１から一方の操作ハンドル１１を取り外す要領を、図６は操作ハンドル１１が取り外され、可変抵抗器６の抵抗値を調整可能とされた状態のスイッチ１をそれぞれ示す。操作ハンドル１１は、背面に形成されている軸受け部１１ｂがカバー１９の支軸１９ａに嵌合することにより、支軸１９ａによって支持されている。従って、軸受け部１１ｂと支軸１９ａとの嵌合を解けば、図５に示すように、スイッチ１から操作ハンドル１１を取り外すことができる。
【００３０】
スイッチ１から操作ハンドル１１が取り外されると、化粧プレート１３の内側からスイッチ本体１０のカバー１９が現れる。この状態で、カバー１９の前面に形成されている貫通穴１９ｂから可変抵抗器６の操作部６ａが露出され、作業者は、貫通穴１９ｂからスクリュードライバー等の工具の先端を挿入することにより、可変抵抗器６の抵抗値を調整できる。その際、作業者は、導光体１９ｃを透過したオン表示用ＬＥＤ４の出力光を確認しながら、所望の明るさに合わせて可変抵抗器６の抵抗値を調整できる。
【００３１】
以上のように、本実施形態のスイッチ１によれば、スイッチ本体１０から操作ハンドル１１を外すことにより、可変抵抗器６を操作してスイッチ本体１０の前面からオン表示用ＬＥＤ４の明るさを調整できる。従って、スイッチ１の施工後においても、スイッチ本体１０を取付枠１２から取り外すことなく、手軽にオン表示用ＬＥＤ４の明るさを調整できるようになり、使い勝手が高められる。
【００３２】
また、オン表示用ＬＥＤ４及び可変抵抗器６が、マウント部材１７に搭載された状態で、スイッチ本体１０に収容されている。これにより、スイッチ１を組み立てる際及び可変抵抗器６の抵抗値を調整する際に、トランス３、オン表示用ＬＥＤ４、ダイオード５及び可変抵抗器６等を電気的に接続するケーブル、リード、端子板等の回路構成部品に掛かるストレスを抑制できる。従って、ケーブル等の断線や損傷等のトラブルが発生する虞を低減できる。また、絶縁体であるマウント部材１７によって回路が覆われているので、スイッチ１の安全性が高められる。
【００３３】
また、可変抵抗器６の操作部６ａが、カバー１９の前壁面に形成されている貫通穴１９ｂに近接して配設されている。これにより、抵抗値を調整する際に用いられる工具がオン表示用ＬＥＤ４及び可変抵抗器６等を電気的に接続する回路構成部品と接触する虞が低減され、スイッチ１の安全性が高められる。なお、貫通穴１９ｂを介して可変抵抗器６の操作部６ａがスイッチ本体１０の外側に突出するように構成することにより、工具を用いることなく可変抵抗器６の抵抗値を調整でき、スイッチ１の使い勝手がより一層高められる。
【００３４】
また、オン表示用ＬＥＤ４の明るさを調整する明るさ調整素子として、可変抵抗器６が適用されているので、操作部６ａの調整角度に対して略リニアに安定してかつ可逆的にオン表示用ＬＥＤ４の明るさが反応する。これにより、容易にオン表示用ＬＥＤ４の明るさを調整でき、スイッチ１の使い勝手がより一層高められる。
【００３５】
なお、本発明は上記実施形態の構成に限られることなく、少なくとも操作ハンドル１１が、スイッチ本体１０に対して着脱可能に構成され、可変抵抗器６は、スイッチ本体１０から操作ハンドル１１を外した状態で、スイッチ本体１０の前面から調整可能に設けられていればよい。
【００３６】
また、本発明は種々の変形が可能であり、例えば、抵抗８として可変抵抗器を適用し、オフ表示用ＬＥＤ７の明るさを調整可能としてもよい。この場合、抵抗８として用いられる可変抵抗器をマウント部材１７の前面に可変抵抗器６と並べて配設し、貫通穴１９ｂを拡大等することにより、操作ハンドル１１を外した状態で、スイッチ本体１０の前面から調整可能に構成すればよい。すなわち、表示用光源としてのＬＥＤは複数種類設けられ、それぞれの表示用光源について個別に可変抵抗器が設けられていてもよい。
【００３７】
また、負荷Ｌは、白熱灯、蛍光灯又はＬＥＤ電球などの照明器具に限られず、他の電気器具であってもよい。また、表示用光源は、ＬＥＤに限られず、ネオンランプ、有機ＥＬ（Electro-Luminescence）等の光源であってもよい。また、スイッチ本体１０は、外周ボディ１８と、カバー１９によって構成される形態に限られず、他の部品によって置換された形態又は他の部品を追加した形態であってもよい。また、スイッチ１は、ピアノハンドル式スイッチ以外の構造のスイッチ（例えば、シーソー式スイッチ等）にも適用可能である。
【符号の説明】
【００３８】
１    スイッチ
２    開閉部
４    オン表示用ＬＥＤ（表示用光源）
６    可変抵抗器（明るさ調整素子）
７    オフ表示用ＬＥＤ（表示用光源）
１０    スイッチ本体
１１    操作ハンドル
１７    マウント部材
１９ｂ    貫通穴
【図１】
2014067647.tif 000003
【図２】
2014067647.tif 000004
【図３】
2014067647.tif 000005
【図４】
2014067647.tif 000006
【図５】
2014067647.tif 000007
【図６】
2014067647.tif 000008